(57)【要約】【課題】目的は、エンドレスベルト及びガイドに余計な張力を発生させずに、ガイドをエンドレスベルトの内周面に貼り付けるガイド貼付装置及びガイド貼付方法を提供することにある。【解決手段】本発明は、エンドレスベルトの内周面にガイドを貼り付けるガイド貼付装置１であって、ベルトの内周面を開いた状態に保持するベルト保持手段と、ガイドを吸引する吸引孔が形成され、当該ガイドをベルトの内周面に押し当てる押し当て手段と、保持されたベルトの内周面上にその幅方向の任意の位置でガイドを貼り付けるための位置決め手段とを備え、ベルト保持手段で保持させながらエンドレスベルトを回転し、回転しているベルトに対して位置決め手段で位置決めされた位置に、前記押し当て手段でガイドを押し当てながら、ベルトの内周面の直線部または略直線部にガイドを貼り付けることを特徴とする。【選択図】図１
2008216642.tif 000002
【特許請求の範囲】
【請求項１】
エンドレスベルトの内周面にガイドを貼り付けるガイド貼付装置であって、
エンドレスベルトの内周面を開いた状態に保持するベルト保持手段と、
ガイドを吸引する吸引孔が形成され、当該ガイドをエンドレスベルトの内周面に押し当てる押し当て手段と、
前記保持されたエンドレスベルトの内周面上にその幅方向の任意の位置でガイドを貼り付けるための位置決め手段と、
を備え、
前記ベルト保持手段で保持させながらエンドレスベルトを回転し、回転しているエンドレスベルトに対して前記位置決め手段で位置決めされた位置に、前記押し当て手段でガイドを押し当てながら、エンドレスベルトの内周面の直線部または略直線部にガイドを貼り付けることを特徴とするガイド貼付装置。
【請求項２】
前記押し当て手段は、ガイドの幅方向のズレを規制する溝を設けている請求項１に記載のガイド貼付装置。
【請求項３】
前記押し当て手段の溝にガイドを案内するように、当該ガイドを導く案内手段を設けている請求項１または２に記載のガイド貼付装置。
【請求項４】
前記ベルト保持手段は、孔が設けられた内部空洞の円筒体と、当該円筒体を内部に収容する吸引装置で構成し、
エンドレスベルトが内部挿入された円筒体を吸引装置に装着して、吸引することにより、エンドレスベルトを円筒体の内周面に固定することを特徴とする請求項１から３のいずれか１項に記載のガイド貼付装置。
【請求項５】
前記位置決め手段は、前記押し当て手段と連接され、エンドレスベルトの幅方向に対して伸縮するピンで構成され、
ピンの先端部が前記吸引装置の一部に当接することで、位置決めを行なうことを特徴とする請求項１から４のいずれか１項に記載のガイド貼付装置。
【請求項６】
前記ガイドは、張力のない状態又は実質的にない状態でエンドレスベルトに貼り付けられることを特徴とする請求項１から５のいずれか１項に記載のガイド貼付装置。
【請求項７】
エンドレスベルトの内周面にガイドを貼り付けるガイド貼付方法であって、
エンドレスベルトの内周面を開口保持させながらエンドレスベルトを回転し、回転しているエンドレスベルトに対して位置決めされた位置に、張力をかけていない状態のガイドを押し当てながら、エンドレスベルトの内周面の直線部または略直線部にガイドを貼り付けることを特徴とするガイド貼付方法。
【発明の詳細な説明】
【技術分野】
【０００１】
本発明は、例えば蛇行防止用のガイドをエンドレスベルトに貼り付ける貼付装置またはその方法に関する。ガイドが貼り付けられたエンドレスベルトは、プリンター、複写機、ビデオプリンター等の電子写真記録装置などに有用である。
【背景技術】
【０００２】
従来より、電子写真式複写機、レーザープリンター等に使用されるエンドレスベルトの両端部の内外面に補強テープ或いは蛇行防止用のガイドを高精度に貼合する装置が公知である（特許文献１参照）。この装置における内側補強テープ（ガイドに相当する）の取付方法は以下のとおりである。内側補強テープ１００は、ガイド部材１０１と粘着剤及び剥離フィルム１０３で構成され、テープガイド１１０によって、貼り付け位置に位置決めされている。図５に示すように、テープガイド１１０は、シームレスベルト１３０を回転するために設けられた駆動ローラ１２０と従動ローラ１２１間の特に駆動ローラ１２０に近接して設置される。テープガイド１１０から案内された内側補強テープ１００の先端部分から剥離フィルム１０３が剥がされて、シームレスベルト１３０の内周面と駆動ローラ１２０とが接する部分に挟み込まれるように導かれ、シームレスベルト１３０に貼り付け固定されている。このように、内側補強テープ１００をシームレスベルト内面に貼り付ける場合に、駆動ローラによって、内側補強テープ１００をシームレスベルト内面に押し付けるようにして貼り付けを行なっている。
【０００３】
【特許文献１】特開平６−１４４６２７号公報（段落番号００１９〜００２１、図９）
【発明の開示】
【発明が解決しようとする課題】
【０００４】
しかしながら、上記特許文献１の技術は、内側補強テープを貼り付ける位置が駆動ローラ部である。また、駆動ローラ１２０及びテープガイド１１０等の配置が装置構成の制約されており、内側補強テープと駆動ローラ部とに一定の距離が存在することとなる。このため、内側補強テープの真直性を確保することが難しいという問題がある。また、この技術は、駆動ローラ部で内側補強テープを貼り付けるため、駆動ローラが回転する際に生じるローラテンションや、エンドレスベルトを駆動ローラと従動ローラで張架していることに起因するテンション等により内側補強テープまたはエンドレスベルトが引っ張られ、その結果、内側補強テープまたはエンドレスベルトの伸縮を生じるという問題がある。
【０００５】
本発明者は、上記の問題にたいして、種々検討を行った結果、本発明に至ったものである。すなわち、本発明の目的は、エンドレスベルト及びガイドに余計な張力を発生させずに、ガイドをエンドレスベルトの内周面に貼り付けるガイド貼付装置及びガイド貼付方法を提供することにある。
【課題を解決するための手段】
【０００６】
本発明は、エンドレスベルトの内周面にガイドを貼り付けるガイド貼付装置であって、
エンドレスベルトの内周面を開いた状態に保持するベルト保持手段と、
ガイドを吸引する吸引孔が形成され、当該ガイドをエンドレスベルトの内周面に押し当てる押し当て手段と、
前記保持されたエンドレスベルトの内周面上にその幅方向の任意の位置でガイドを貼り付けるための位置決め手段とを備え、
前記ベルト保持手段で保持させながらエンドレスベルトを回転し、回転しているエンドレスベルトに対して前記位置決め手段で位置決めされた位置に、前記押し当て手段でガイドを押し当てながら、エンドレスベルトの内周面の直線部または略直線部にガイドを貼り付けることを特徴とする。
【０００７】
以上の構成の作用効果は以下のとおりである。すなわち、ガイド貼付装置は、エンドレスベルトの内周面にガイドを貼り付ける機能を有する。そして、エンドレスベルトの内周面を開いた状態に保持するベルト保持手段と、ガイドを吸引する吸引孔が形成され、当該ガイドをエンドレスベルトの内周面に押し当てる押し当て手段と、保持されたエンドレスベルトの内周面上にその幅方向の任意の位置でガイドを貼り付けるための位置決め手段とを備えている。これにより、ベルト保持手段で保持させながらエンドレスベルトを回転し、回転しているエンドレスベルトに対して、位置決め手段で位置決めされた位置に、押し当て手段でガイドを押し当てながら、エンドレスベルトの内周面の直線部または略直線部にガイドを貼り付けることができる。この結果、エンドレスベルト及びガイドに余計な張力を発生させずに、ガイドをエンドレスベルトの内周面の直線部または略直線部に貼り付けることができ、ガイド貼り付け部分に、皺、伸び、収縮等の不良が発生せず、高精度、高品質に貼り付けられたガイド付きエンドレスベルトを得ることができる。
【０００８】
また、本発明の一実施形態として、押し当て手段は、ガイドの幅方向のズレを規制する溝を設けることが好ましい。これによって、吸引固定に加え、さらにガイドの幅方向の位置ズレを規制できる。
【０００９】
また、本発明の一実施形態として、押し当て手段の溝にガイドを案内するように、ガイドを導く案内手段を設けることが好ましい。これによって、さらに、真直性を持ってガイドが押し当て手段の溝に案内されるので好ましい。
【００１０】
また、本発明の一実施形態として、ベルト保持手段は、孔が設けられた内部空洞の円筒体と、当該円筒体を内部に収容する吸引装置で構成し、
エンドレスベルトが内部挿入された円筒体を吸引装置に装着して、吸引することにより、エンドレスベルトを円筒体の内周面に固定することが好ましい。
【００１１】
この構成によって、エンドレスベルトが吸引固定され、好適に保持される。
【００１２】
また、本発明の一実施形態として、位置決め手段は、押し当て手段と連接され、エンドレスベルトの幅方向に伸縮するピンで構成され、
ピンの先端部が吸引装置の一部に当接することで、位置決めを行なうことが好ましい。
【００１３】
この構成によって、エンドレスベルトの内周面の幅方向に対する位置決めが好適に行なえる。
【００１４】
また、本発明の一実施形態として、ガイドを張力のない状態又は実質的にない状態でエンドレスベルトに貼り付けることが好ましい。
【００１５】
これによって、ガイドに張力が生じていない状態でエンドレスベルトに貼り付けることができ、その結果、ガイドの収縮によってエンドレスベルトが撓んだり、収縮したりすることがない。
【００１６】
また、本発明は、エンドレスベルトの内周面にガイドを貼り付けるガイド貼付方法であって、
エンドレスベルトの内周面を開口保持させながらエンドレスベルトを回転し、回転しているエンドレスベルトに対して位置決めされた位置に、張力をかけていない状態のガイドを押し当てながら、エンドレスベルトの内周面の直線部または略直線部にガイドを貼り付けることを特徴とする。
【００１７】
この構成の作用効果は上記のガイド貼付装置の作用効果と同様である。ただし、本発明のガイド貼付方法は、上記のガイド貼付装置の具体的手段に限定されることはない。
【発明を実施するための最良の形態】
【００１８】
以下、本発明の実施の形態について説明する。本発明のエンドレスベルトは、例えば、電子写真式複写機、レーザープリンター等における感光装置、中間転写装置、転写分離装置、搬送装置、帯電装置、現像装置等に使用される。従って、これらの用途、機能に応じて、ベルトの材質、形状、大きさ等が適宜設定される。
【００１９】
例えば、電子写真記録装置等における中間転写ベルト及び転写搬送ベルトの場合、導電性フィラーを含有するポリイミド系樹脂からなる半導電性ベルト等が使用される。また、この半導電性ベルトの端部には、回転を制御するセンサーホールを設置する場合がある。
【００２０】
その他の用途を含めて、本発明におけるエンドレスベルトの材質としては、ポリイミド系樹脂、ポリエステル系樹脂、ポリウレタン系樹脂、ポリアミド系樹脂、フッ素系樹脂等が挙げられる。なお、エンドレスベルトは繋ぎ目があってもなくてもよい。そして、エンドレスベルトの製造方法は、公知の製造方法が適用でき、ここでは説明を省略する。
【００２１】
ガイド部材は、ウレタンゴム、シリコンゴム、フッ素ゴム等、ロールの駆動に追従する材料が好ましいが、特に限定するものではない。ガイドの幅や長さは、エンドレスベルトの形状や大きさに応じて適宜設定される。ガイドの断面形状が長方形である場合、その厚み（ガイドとしての高さに相当する）は、蛇行防止効果や耐久性等の観点から、０．０５ｍｍから３ｍｍ程度が好ましい。ガイド部材は、通常、後述する粘着剤または接着剤層を有し、剥離フィルム（または紙）で保護され、リール状に巻かれた状態で保存されている。本発明では、リール状に巻かれたガイド部材をフリー回転可能に軸支させ、ガイド部材を引き出しても用いてもよく、リール状に巻かれたガイド部材を予め所定の長さ分（例えば、貼り付け長さ分）引き出しておいて、テンションがかからない状態にして用いることが好ましい。これにより、ガイド部材にテンションがかからない状態で、ベルト内周面に貼り付けできる。
【００２２】
粘着剤または接着剤は、アクリル系、シリコン系、ゴム系等が挙げられ、ガイド部材とエンドレスベルト部材の材質によって適宜選択される。
【００２３】
（ガイド貼付装置）
本発明における、エンドレスベルトとガイドを貼り付ける貼り付け装置について以下に説明する。図1、２は、ガイド貼付装置１の外観模式図である。２は、吸引装置本体のフレームであり、空気吸引可能なように、後述するドラム３との構成によって密閉構造となっている。２ａは、真空引きのための管であり、本体フレーム２の複数個所に設けられる（図１では説明上１つにしてある）。本体フレーム２には、後述する支持体７をセットする際の位置決めに用いられる被位置決め部２ｂ、２ｃが設けられている。
【００２４】
ドラム３（円筒体に相当する）は、エンドレスベルトを収納可能であり、その周面には、孔部（不図示）が複数も設けられている。エンドレスベルトをドラム３にセットして、管２ａから空気吸引を行なうと、この孔部にエンドレスベルトが密着し、エンドレスベルト、ドラム３及び本体フレーム２によって密閉空間が形成され、空気吸引をさらに継続することで、エンドレスベルトがドラム３の内周面に吸引保持される。なお、空気吸引の程度は、ドラム３のサイズ、孔部の設計仕様（例えば、サイズ、個数、形状等）、ベルトの仕様（例えば、厚み、サイズ、材料等）によって設定できる。空気吸引は、公知の吸引機構１０ａで実現できる。
【００２５】
ドラム３は、その材料が特に制限されないが、エンドレスベルトとの密着性を確保できる材料で構成されるのが好ましく、例えば、アクリル樹脂で構成できる。また、ドラム３のサイズは、エンドレスベルトのサイズに依存する。
【００２６】
ドラム３の一方の端部は、フレーム２に収納されず、この端部の内周面と後述する押圧ローラ４（押し当て手段に相当する）の外周面がエンドレスベルトを間に挟んで接する構造となっている。
【００２７】
押圧ローラ４は、円筒形状であり、その外周面にガイドを案内する（幅方向のズレを規制する）溝４ａを設けてある。また、この溝４ａに、複数の孔部４ｂが所定の間隔で設けられている。複数の孔部４ｂは、全て、吸引管７ｂに連通してあり、吸引管７ｂは公知の吸引機構１０ｂによって、空気吸引可能に構成されている。この空気吸引により、溝４ａにセットされたガイドを吸引吸着することができる。孔部４ｂは、ガイドを吸着する目的で形成されるため、溝４ａの一部、例えば、押圧ローラ４とエンドレスベルトとが接する部分のみに形成されていればよい。また、孔部４ｂにガイドがセットされていなければ、空気吸引しても、外気を吸引することとなりその機能・効果が減少するが、このように構成してよい。しかし、押圧ローラの全周にわたって形成された溝４ａに孔部４ａを所定間隔で設ける場合には、ガイドがセットされている孔部４ｂにのみを空気吸引して、その他の孔部４ｂでは吸引されないように、吸引路切り替え機構を設けるほうが望ましい。
【００２８】
押圧ローラ４の溝４ａにガイドを案内するために、第１，２ガイド導き用治具５，６（案内手段に相当する）が設けられている。第１ガイド導き用治具５は、図２に示すように、先端が二股に分かれ、その間の距離はガイド幅に依存し、ガイド幅より少し大きめ（例えば、約０．３〜３ｍｍの範囲）に構成される。また、押圧ローラ４に接する又は近接する第１ガイド導き用治具５の部分は、押圧ローラ４の外周面に沿う形状となっている。また、ガイドと接する部分は、押圧ローラ４の溝４ａにガイドを導く際に、張力が生じないように、例えば、Ｒ形状となっている。
【００２９】
第２ガイド導き用治具６は、図２に示すように、ローラ形状であり、ガイドを案内するための溝６ａが設けられている。
【００３０】
押圧ローラ４、第１，２ガイド導き用治具５，６の材料は、特に制限されないが、ガイドに対するテンションが生じないものが好ましく、例えば、ＰＯＭ等が挙げられる。
【００３１】
押圧ローラ４、第２ガイド導き用治具６は、支持体７に回転可能に取り付けられている。第１ガイド導き用治具５は、支持体７に固定するように取り付けられている。
【００３２】
支持体７は、既述した吸引管７ａを設けている。吸引管７ａの一端は、押圧ローラ４の所定位置に空気吸引した際に密閉可能となるように取り付けられている。また、支持体７は、床台から支持された支持棒７ｂによって上下、左右のいずれにも回転可能に支持されている。また、支持体７の一端部に錘９が設けられている。この錘９によって、支持体７の他方側が上に傾き、その結果、押圧ローラ４がドラム３側に押し当てられる。錘９の代わりに、支持体７の一端部を下側に押し下げる機構（例えば、空気、油圧シリンダーで押し下げる機構）を設けるように構成できる。
【００３３】
支持体７には、所定位置に２つのピン８（位置決め手段に相当する）が設けられている、ピン８は、支持体７に対して垂直に伸縮できる構造であり、例えば、ボルトナットにより位置を固定することができる。図３に示すように、支持体７を装置本体にセットした際に、ピン８は、被位置決め部２ｃに当接する。これによって、押圧ロール４がドラム３の内部に侵入する侵入位置を規制することができる。ピン８の先端部を磁石で構成した場合、被位置決め部２ｃを金属で構成し、磁石による一定力の固定ができ、押圧ローラ４をドラム３にセットした場合に、振動等によって押圧ローラ４が外れることがない。また、支持体７をセットした場合に、不図示のロック機構を用いて、固定することができる。
【００３４】
次いで、図４を用いて、エンドレスベルトＢにガイドＧを貼り付ける手順を説明する。
（Ａ）ドラム３にエンドレスベルトＢをセットする（図４（ａ））。
（Ｂ）吸引機構１０ａを作動させ、空気吸引することにより、エンドレスベルトＢがドラム３内面に吸着される（図４（ａ））。このときエンドレスベルトＢに、よれ、ねじれ、伸び等がなく、押圧ローラ４と接する部分は、直線状または略直線状に形成されている。つまり、ドラムの内周面の曲率にも依存するが、エンドレスベルトとガイドを直線または略直線状の状態で貼り付けることができる。
【００３５】
（Ｃ）ガイドＧの先端部分をまず、第２ガイド導き用治具６の案内溝６ａに案内させ（図4（ｂ）では、説明上ガイドＧが第２ガイド導き用治具６の外接するように描かれているが実際は、案内溝６ａ内部に沿っている）、次いで第１ガイド導き用治具５に案内させて、押圧ローラ４の溝４ａに案内させる（図４（ｂ））。第１ガイド導き用治具５に案内されている状態でまたは第２ガイド導き用治具６から第１ガイド導き用治具５へ案内される状態で剥離フィルムＧ２は剥離されるように構成されている。剥離するための機構は図示していないが、剥離位置でローラ等を設けてもよい。そして、溝４ａに案内させた状態で、吸引機構１０ｂを作動させ、空気吸引することにより、ガイド本体Ｇ１が溝４ａに吸着される。吸引力は、ガイド本体Ｇ１とエンドレスベルトＢとが固定される粘着力又は接着力よりも小さく設定でき、このように設定すれば、吸引しながらもガイド本体Ｇ１とエンドレスベルトＢが固定され剥がれることがない。また、吸引力を上記固定力よりも強く又は弱く設定する場合に制限されず、エンドレスベルトＢにガイド本体Ｇ１先端部分を固定した後、ガイド本体Ｇ１の吸引を停止するように吸引機構１０ｂを制御するように構成できる。これは、不図示の制御部によって機能する。
【００３６】
（Ｄ）次いで、ドラム３内部に押圧ローラ４をセットする。このとき、ピン８の機能によって、侵入位置が規制され、エンドレスベルトＢの所望の端部位置にガイド本体Ｇ１を貼り付けることができる。次いで、錘９を作用させる。これにより押圧ローラ４が垂直上方に移動し、エンドレスベルトＢを押し当てる。このセットにより、押圧ローラ４で押し圧されたガイド本体Ｇ１がエンドレスベルトＢに接することになる。ガイド本体Ｇ１に粘着剤又は接着剤層が設けられており、これにより、エンドレスベルトＢとガイド本体Ｇ１が粘着又は接着固定される。
【００３７】
（Ｅ）ドラム３を不図示の回転駆動機構によって所定速度（例えば、０ｒｐｍを超えて３０ｒｐｍ以下の範囲）で回転させる。ドラム３の回転と同期するように押圧ローラ４が回転する。押圧ローラ４はフリー回転（従動回転）でもよく、回転駆動手段（不図示）によって回転させてもよい。
【００３８】
ドラム３の回転により、エンドレスベルトＢも回転する。エンドレスベルトＢに固定されたガイド本体Ｇ１は、エンドレスベルトＢに固定された状態で回転に付随する。そして、ガイドＧがフリーテンション状態に引き出され、溝４ａに沿って（幅規制されて）、エンドレスベルトＢに順次固定される。エンドレスベルトＢが一周又は略１周したらドラム３の回転を停止し、端部処理を行なう。端部処理は、先端部分を重ならないように粘着または接着することである。
【００３９】
以上の実施形態によれば、エンドレスベルト及びガイドに余計な張力を発生させずに、ガイドをエンドレスベルトの内周面の直線部または略直線部に貼り付けることができ、ガイド貼り付け部分に、皺、伸び、収縮等の不良が発生せず、高精度、高品質に貼り付けられたガイド付きエンドレスベルトを得ることができる。
【００４０】
＜別実施形態＞
以上の実施形態では、ガイド本体Ｇ１に粘着剤または接着剤層を形成し、さらに剥離フィルム（または紙）Ｇ２を貼り付けて、一体のガイドＧを構成し、剥離フィルムＧ２を剥離して、粘着剤または接着剤を介してガイド本体Ｇ１をエンドレスベルトＢの端部に貼り付ける構成であったが、特にこれに制限されない。
【００４１】
例えば、予めガイドＧには粘着剤または接着剤層を形成せずに、エンドレスベルトＢの取付位置に粘着剤または接着剤を形成してあってもよく、取り付け直前に、ガイドＧまたはエンドレスベルトＢに粘着剤または接着剤を形成するように構成できる。
【００４２】
＜実施例＞
以下、本発明を、実施例を挙げてさらに具体的に説明する。ただし、これら各実施例は、本発明を制限するものではない。なお、実施例及び比較例においての使用材料は下記の通りである。
１．ガイド部材
（１）ウレタンゴム（タイガースポリマー製タイプレンＴＲ１００−５０）
２．エンドレスベルト
（１）ポリイミド製エンドレスベルト
【００４３】
（評価方法）
実施例及び比較例の評価方法は次の通りである。
１．外観目視検査
２．耐久性試験
ガイド付きエンドレスベルトをロール径φ３０ｍｍの２本のロールにセットする。そして、このロールのロール速度１００ｍｍ／分とし、ベルト張力５ｋｇ／３００ｍｍの条件で１００時間連続駆動させ、ベルトの破壊およびベルトの乗り上げについて評価した。
【００４４】
（実施例１）
厚さ８０μｍ、外径２００ｍｍ、幅３００ｍｍのポリイミド製ベルトの内面側両端部に沿わせてそれぞれ、幅５ｍｍ、厚み１．０ｍｍ（粘着剤層２５μｍ）、ウレタンゴム（タイガースポリマー製、タイプレンＴＲ１００−５０）のガイドを上記ガイド貼付装置１を用いて貼り付けた。
【００４５】
このガイド付きエンドレスベルトを外観目視確認したが、よれ、皺、収縮等の外観不良は確認できなかった。また、このガイド付きエンドレスベルトを用いて耐久性試験の評価を行った結果、耐久試験後もベルトの破壊は起きなかった。
【００４６】
（比較例１）
上記のガイド貼付装置１において、ガイドにテンションをかけて貼り付けを行なう以外、実施例１と同様である。
【００４７】
得られたガイド付きエンドレスベルトを外観目視確認したが、ベルト開口部分に収縮が生じていた。また、このガイド付きエンドレスベルトを用いて耐久性試験の評価を行った結果、耐久試験開始後、１５時間でベルト破壊が発生した。
【図面の簡単な説明】
【００４８】
【図１】貼付装置を説明する図
【図２】貼付装置を説明する図
【図３】貼付装置を説明する図
【図４】貼付装置を説明する図
【図５】従来の貼り付け方法を説明する模式図
【符号の説明】
【００４９】
１    ガイド貼付装置
２    本体フレーム
３    ドラム
４    押圧ローラ
５    第１ガイド導き用治具
６    第２ガイド導き用治具
７    支持体
８    ピン
９    錘
１０ａ    吸引機構
１０ｂ    吸引機構
Ｂ    エンドレスベルト
Ｇ    ガイド
【図１】
2008216642.tif 000003
【図２】
2008216642.tif 000004
【図３】
2008216642.tif 000005
【図４】
2008216642.tif 000006
【図５】
2008216642.tif 000007